【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
ステントであって、
前記ステントは、長手軸および周囲直径を有する管状の壁を有する本質的に管状の本体を規定する構造を含み、
前記構造は収縮された構成から拡張された構成に拡張可能であり、
前記ステントは吻合部位への配置のために前記長手軸に沿って湾曲されている、ステント。
【請求項２】
前記ステントにおける屈曲度は約５度である、請求項１に記載のステント。
【請求項３】
前記ステントにおける屈曲度は約１０度である、請求項１に記載のステント。
【請求項４】
前記ステントにおける屈曲度は約１５度である、請求項１に記載のステント。
【請求項５】
前記ステントにおける屈曲度は約２０度である、請求項１に記載のステント。
【請求項６】
前記ステントにおける屈曲度は約２５度である、請求項１に記載のステント。
【請求項７】
前記ステントにおける屈曲度は約３０度である、請求項１に記載のステント。
【請求項８】
前記ステントにおける屈曲度は約３５度である、請求項１に記載のステント。
【請求項９】
前記ステントにおける屈曲度は約４０度である、請求項１に記載のステント。
【請求項１０】
前記ステントにおける屈曲度は約４５度である、請求項１に記載のステント。
【請求項１１】
前記ステントにおける屈曲度は約５０度である、請求項１に記載のステント。
【請求項１２】
前記ステントにおける屈曲度は約５５度である、請求項１に記載のステント。
【請求項１３】
前記ステントにおける屈曲度は約６０度である、請求項１に記載のステント。
【請求項１４】
前記ステントにおける屈曲度は約６５度である、請求項１に記載のステント。
【請求項１５】
前記ステントにおける屈曲度は約７０度である、請求項１に記載のステント。
【請求項１６】
前記ステントにおける屈曲度は約７５度である、請求項１に記載のステント。
【請求項１７】
前記ステントにおける屈曲度は約８０度である、請求項１に記載のステント。
【請求項１８】
前記ステントにおける屈曲度は約８５度である、請求項１に記載のステント。
【請求項１９】
前記ステントにおける屈曲度は約９０度である、請求項１に記載のステント。
【請求項２０】
前記ステントにおける屈曲度は約９５度である、請求項１に記載のステント。
【請求項２１】
前記ステントにおける屈曲度は約１００度である、請求項１に記載のステント。
【請求項２２】
前記ステントにおける屈曲度は約１０５度である、請求項１に記載のステント。
【請求項２３】
前記ステントにおける屈曲度は約１１０度である、請求項１に記載のステント。
【請求項２４】
前記ステントにおける屈曲度は約１１５度である、請求項１に記載のステント。
【請求項２５】
前記ステントにおける屈曲度は約１２０度である、請求項１に記載のステント。
【請求項２６】
前記ステントにおける屈曲度は約１２５度である、請求項１に記載のステント。
【請求項２７】
前記ステントにおける屈曲度は約１３０度である、請求項１に記載のステント。
【請求項２８】
前記ステントにおける屈曲度は約１３５度である、請求項１に記載のステント。
【請求項２９】
前記ステントにおける屈曲度は約１４０度である、請求項１に記載のステント。
【請求項３０】
前記ステントは薬物溶出性ステントである、請求項１に記載のステント。
【請求項３１】
前記薬物は抗増殖薬である、請求項３０に記載のステント。
【請求項３２】
前記薬物はラパマイシンである、請求項３０に記載のステント。
【請求項３３】
前記薬物はラパマイシンのアナログである、請求項３０に記載のステント。
【請求項３４】
前記薬物はエベロリムスである、請求項３０に記載のステント。
【請求項３５】
前記薬物はデキサメタゾンである、請求項３０に記載のステント。
【請求項３６】
前記薬物はパクリタキセルである、請求項３０に記載のステント。
【請求項３７】
前記薬物はタクロリムスである、請求項３０に記載のステント。
【請求項３８】
収縮状態の前記ステントの外表面に付けられたワイヤをさらに含み、前記ワイヤを操作することによって前記ステントの前記外表面を前記血管の内表面に向かって引っ張り、前記ステントを拡張させて内部の血管またはグラフト壁に隣接させる、請求項１に記載のステント。
【請求項３９】
前記ステントは薬物溶出性ステントである、請求項３８に記載のステント。
【請求項４０】
前記薬物は抗増殖薬である、請求項３９に記載のステント。
【請求項４１】
前記薬物はラパマイシンである、請求項３９に記載のステント。
【請求項４２】
前記薬物はラパマイシンのアナログである、請求項３９に記載のステント。
【請求項４３】
前記薬物はエベロリムスである、請求項３９に記載のステント。
【請求項４４】
前記薬物はデキサメタゾンである、請求項３９に記載のステント。
【請求項４５】
前記薬物はパクリタキセルである、請求項３９に記載のステント。
【請求項４６】
前記薬物はタクロリムスである、請求項３９に記載のステント。
【請求項４７】
吻合部位における狭窄を予防するためのシステムであって、前記システムは、
ａ．長手軸および周囲直径を有する管状の壁を有する本質的に管状の本体を規定する構造を含むステントであって、前記構造は収縮された構成から拡張された構成に拡張可能であり、前記ステントは吻合部位への配置のために前記長手軸に沿って湾曲されている、ステントと、
ｂ．治療剤を吸収させた生体適合性マトリックス材料を含むスリーブと、
を含み、
前記スリーブは、吻合部位の血管外表面に適用され、そして
前記ステントは、吻合部位の静脈開口部およびグラフト開口部に挿入されることを特徴とする、システム。
【請求項４８】
前記治療剤はラパマイシンである、請求項４７に記載のシステム。
【請求項４９】
前記治療剤はラパマイシンのアナログである、請求項４７に記載のシステム。
【請求項５０】
前記治療剤はエベロリムスである、請求項４７に記載のシステム。
【請求項５１】
前記治療剤はデキサメタゾンである、請求項４７に記載のシステム。
【請求項５２】
前記治療剤はパクリタキセルである、請求項４７に記載のシステム。
【請求項５３】
前記治療剤はタクロリムスである、請求項４７に記載のシステム。
【請求項５４】
前記マトリックス材料はコラーゲンを含む、請求項４７に記載のシステム。
【請求項５５】
前記コラーゲンはＩ型ウシコラーゲンである、請求項５４に記載のシステム。
【請求項５６】
前記コラーゲンは、Ｉ型、ＩＩ型、ＩＩＩ型、ＩＶ型、ＸＩ型、およびそれらの混合物からなる群より選択される、請求項５４に記載のシステム。
【請求項５７】
前記マトリックス材料はフィブリンを含む、請求項４７に記載のシステム。
【請求項５８】
前記マトリックス材料は多糖を含む、請求項４７に記載のシステム。
【請求項５９】
前記多糖はキトサンである、請求項５８に記載のシステム。
【請求項６０】
前記マトリックス材料は、コラーゲン、フィブリン、キトサン、およびそれらの混合物からなる群より選択される、請求項４７に記載のシステム。
【請求項６１】
前記ステントは薬物溶出性ステントである、請求項４７に記載のシステム。
【請求項６２】
前記薬物は抗増殖薬である、請求項６１に記載のシステム。
【請求項６３】
前記薬物はラパマイシンである、請求項６１に記載のシステム。
【請求項６４】
前記薬物はラパマイシンのアナログである、請求項６１に記載のシステム。
【請求項６５】
前記薬物はエベロリムスである、請求項６１に記載のシステム。
【請求項６６】
前記薬物はデキサメタゾンである、請求項６１に記載のシステム。
【請求項６７】
前記薬物はパクリタキセルである、請求項６１に記載のシステム。
【請求項６８】
前記薬物はタクロリムスである、請求項６１に記載のシステム。
【請求項６９】
前記ステントは、収縮状態の前記ステントの外表面に付けられたワイヤをさらに含み、
前記ステントは、収縮状態で、吻合部位の静脈開口部およびグラフト開口部に挿入され、そして
前記外部ワイヤが操作されて、前記ステントの前記外表面が前記血管の内表面に向かって引っ張られ、前記ステントが拡張されて内部の血管またはグラフト壁に隣接されることを特徴とする、請求項４７に記載のシステム。
【請求項７０】
前記ステントは薬物溶出性ステントである、請求項６９に記載のシステム。
【請求項７１】
前記薬物は抗増殖薬である、請求項７０に記載のシステム。
【請求項７２】
前記薬物はラパマイシンである、請求項７０に記載のシステム。
【請求項７３】
前記薬物はラパマイシンのアナログである、請求項７０に記載のシステム。
【請求項７４】
前記薬物はエベロリムスである、請求項７０に記載のシステム。
【請求項７５】
前記薬物はデキサメタゾンである、請求項７０に記載のシステム。
【請求項７６】
前記薬物はパクリタキセルである、請求項７０に記載のシステム。
【請求項７７】
前記薬物はタクロリムスである、請求項７０に記載のシステム。
【請求項７８】
吻合部位における狭窄を予防するためのシステムであって、前記システムは、
ａ．ステント送達系であって、前記ステント送達系は、
ｉ．収縮された構成のステントであって、前記ステントは、長手軸および周囲直径を有する管状の壁を有する本質的に管状の本体を規定するウェブ構造であり、前記ウェブ構造は収縮された構成から拡張された構成に拡張可能であり、前記ステントは吻合部位への配置のために前記長手軸に沿って湾曲されている、ステント、および
ｉｉ．前記ステントを収縮された状態に収縮するための前記ステントを囲むシース
を含む、ステント送達系と、
ｂ．治療剤を吸収させた生体適合性マトリックス材料を含むスリーブと、
を含み、
前記スリーブは、吻合部位の血管外表面に適用され、
前記ステント送達系は、吻合部位に向けられ、そして
前記シースが縮められ、前記シースを縮めることによって前記ステントが拡張して内部の血管またはグラフト壁に隣接することを特徴とする、システム。
【請求項７９】
前記ステントは薬物溶出性ステントである、請求項７８に記載のシステム。
【請求項８０】
前記薬物は抗増殖薬である、請求項７９に記載のシステム。
【請求項８１】
前記薬物はラパマイシンである、請求項７９に記載のシステム。
【請求項８２】
前記薬物はラパマイシンのアナログである、請求項７９に記載のシステム。
【請求項８３】
前記薬物はエベロリムスである、請求項７９に記載のシステム。
【請求項８４】
前記薬物はデキサメタゾンである、請求項７９に記載のシステム。
【請求項８５】
前記薬物はパクリタキセルである、請求項７９に記載のシステム。
【請求項８６】
前記薬物はタクロリムスである、請求項７９に記載のシステム。
【請求項８７】
吻合部位における狭窄を予防するためのキットであって、
ａ．ステントであって、前記ステントは、長手軸および周囲直径を有する管状の壁を有する本質的に管状の本体を規定するウェブ構造を含み、前記ウェブ構造は収縮された構成から拡張された構成に拡張可能であり、前記ステントは吻合部位への配置のために前記長手軸に沿って湾曲されている、ステント、および
ｂ．治療剤を吸収させた生体適合性マトリックス材料を含むスリーブ
を含む、キット。
【請求項８８】
前記治療剤はラパマイシンである、請求項８７に記載のキット。
【請求項８９】
前記治療剤はラパマイシンのアナログである、請求項８７に記載のキット。
【請求項９０】
前記治療剤はエベロリムスである、請求項８７に記載のキット。
【請求項９１】
前記治療剤はデキサメタゾンである、請求項８７に記載のキット。
【請求項９２】
前記治療剤はパクリタキセルである、請求項８７に記載のキット。
【請求項９３】
前記治療剤はタクロリムスである、請求項８７に記載のキット。
【請求項９４】
前記マトリックス材料はコラーゲンを含む、請求項８７に記載のキット。
【請求項９５】
前記コラーゲンはＩ型ウシコラーゲンである、請求項９４に記載のキット。
【請求項９６】
前記コラーゲンは、Ｉ型、ＩＩ型、ＩＩＩ型、ＩＶ型、ＸＩ型、およびそれらの混合物からなる群より選択される、請求項９４に記載のキット。
【請求項９７】
前記マトリックス材料はフィブリンを含む、請求項８７に記載のキット。
【請求項９８】
前記マトリックス材料は多糖を含む、請求項８７に記載のキット。
【請求項９９】
前記多糖はキトサンである、請求項９８に記載のキット。
【請求項１００】
前記マトリックス材料は、コラーゲン、フィブリン、キトサン、およびそれらの混合物からなる群より選択される、請求項８７に記載のキット。
【請求項１０１】
前記ステントは薬物溶出性ステントである、請求項７８に記載のキット。
【請求項１０２】
前記薬物は抗増殖薬である、請求項１０１に記載のキット。
【請求項１０３】
前記薬物はラパマイシンである、請求項１０１に記載のキット。
【請求項１０４】
前記薬物はラパマイシンのアナログである、請求項１０１に記載のキット。
【請求項１０５】
前記薬物はエベロリムスである、請求項１０１に記載のキット。
【請求項１０６】
前記薬物はデキサメタゾンである、請求項１０１に記載のキット。
【請求項１０７】
前記薬物はパクリタキセルである、請求項１０１に記載のキット。
【請求項１０８】
前記薬物はタクロリムスである、請求項１０１に記載のキット。
【請求項１０９】
ＡＶフィステルの吻合における狭窄を予防するためのシステムであって、前記システムは、
長手軸および周囲直径を有する管状の壁を有する本質的に管状の本体を規定する構造を含むステントであって、前記構造は収縮された構成から拡張された構成に拡張可能であり、前記ステントは吻合への配置のために前記長手軸に沿って湾曲されている、ステント
を含み、
前記ステントは前記吻合の静脈およびグラフト開口部に挿入されて、前記ステントの前記吻合への配置または前記吻合の周囲への配置が、前記流出静脈の狭小化を防ぐことを特徴とする、システム。
【手続補正２】
【補正対象書類名】明細書
【補正対象項目名】００２６
【補正方法】変更
【補正の内容】
【００２６】
生体適合性マトリックス材料および医薬品を含むスリーブは、開放性の手術手順の際に意図される位置に移植されてもよい。生体適合性マトリックス材料および医薬品を含むスリーブは、経皮的に移植されてもよい。生体適合性マトリックス材料および医薬品を含むスリーブは、ロボットシステムを用いて移植されてもよい。
本発明は、例えば以下の項目を提供する。
（項目１）
ステントであって、
前記ステントは、長手軸および周囲直径を有する管状の壁を有する本質的に管状の本体を規定する構造を含み、
前記構造は収縮された構成から拡張された構成に拡張可能であり、
前記ステントは吻合部位への配置のために前記長手軸に沿って湾曲されている、ステント。
（項目２）
前記ステントにおける屈曲度は約５度である、項目１に記載のステント。
（項目３）
前記ステントにおける屈曲度は約１０度である、項目１に記載のステント。
（項目４）
前記ステントにおける屈曲度は約１５度である、項目１に記載のステント。
（項目５）
前記ステントにおける屈曲度は約２０度である、項目１に記載のステント。
（項目６）
前記ステントにおける屈曲度は約２５度である、項目１に記載のステント。
（項目７）
前記ステントにおける屈曲度は約３０度である、項目１に記載のステント。
（項目８）
前記ステントにおける屈曲度は約３５度である、項目１に記載のステント。
（項目９）
前記ステントにおける屈曲度は約４０度である、項目１に記載のステント。
（項目１０）
前記ステントにおける屈曲度は約４５度である、項目１に記載のステント。
（項目１１）
前記ステントにおける屈曲度は約５０度である、項目１に記載のステント。
（項目１２）
前記ステントにおける屈曲度は約５５度である、項目１に記載のステント。
（項目１３）
前記ステントにおける屈曲度は約６０度である、項目１に記載のステント。
（項目１４）
前記ステントにおける屈曲度は約６５度である、項目１に記載のステント。
（項目１５）
前記ステントにおける屈曲度は約７０度である、項目１に記載のステント。
（項目１６）
前記ステントにおける屈曲度は約７５度である、項目１に記載のステント。
（項目１７）
前記ステントにおける屈曲度は約８０度である、項目１に記載のステント。
（項目１８）
前記ステントにおける屈曲度は約８５度である、項目１に記載のステント。
（項目１９）
前記ステントにおける屈曲度は約９０度である、項目１に記載のステント。
（項目２０）
前記ステントにおける屈曲度は約９５度である、項目１に記載のステント。
（項目２１）
前記ステントにおける屈曲度は約１００度である、項目１に記載のステント。
（項目２２）
前記ステントにおける屈曲度は約１０５度である、項目１に記載のステント。
（項目２３）
前記ステントにおける屈曲度は約１１０度である、項目１に記載のステント。
（項目２４）
前記ステントにおける屈曲度は約１１５度である、項目１に記載のステント。
（項目２５）
前記ステントにおける屈曲度は約１２０度である、項目１に記載のステント。
（項目２６）
前記ステントにおける屈曲度は約１２５度である、項目１に記載のステント。
（項目２７）
前記ステントにおける屈曲度は約１３０度である、項目１に記載のステント。
（項目２８）
前記ステントにおける屈曲度は約１３５度である、項目１に記載のステント。
（項目２９）
前記ステントにおける屈曲度は約１４０度である、項目１に記載のステント。
（項目３０）
前記ステントは薬物溶出性ステントである、項目１に記載のステント。
（項目３１）
前記薬物は抗増殖薬である、項目３０に記載のステント。
（項目３２）
前記薬物はラパマイシンである、項目３０に記載のステント。
（項目３３）
前記薬物はラパマイシンのアナログである、項目３０に記載のステント。
（項目３４）
前記薬物はエベロリムスである、項目３０に記載のステント。
（項目３５）
前記薬物はデキサメタゾンである、項目３０に記載のステント。
（項目３６）
前記薬物はパクリタキセルである、項目３０に記載のステント。
（項目３７）
前記薬物はタクロリムスである、項目３０に記載のステント。
（項目３８）
収縮状態の前記ステントの外表面に付けられたワイヤをさらに含み、前記ワイヤを操作することによって前記ステントの前記外表面を前記血管の内表面に向かって引っ張り、前記ステントを拡張させて内部の血管またはグラフト壁に隣接させる、項目１に記載のステント。
（項目３９）
前記ステントは薬物溶出性ステントである、項目３８に記載のステント。
（項目４０）
前記薬物は抗増殖薬である、項目３９に記載のステント。
（項目４１）
前記薬物はラパマイシンである、項目３９に記載のステント。
（項目４２）
前記薬物はラパマイシンのアナログである、項目３９に記載のステント。
（項目４３）
前記薬物はエベロリムスである、項目３９に記載のステント。
（項目４４）
前記薬物はデキサメタゾンである、項目３９に記載のステント。
（項目４５）
前記薬物はパクリタキセルである、項目３９に記載のステント。
（項目４６）
前記薬物はタクロリムスである、項目３９に記載のステント。
（項目４７）
吻合部位における狭窄を予防するための方法であって、
ａ．長手軸および周囲直径を有する管状の壁を有する本質的に管状の本体を規定する構造を含むステントを提供するステップであって、前記構造は収縮された構成から拡張された構成に拡張可能であり、前記ステントは吻合部位への配置のために前記長手軸に沿って湾曲されている、ステップと、
ｂ．治療剤を吸収させた生体適合性マトリックス材料を含むスリーブを提供するステップと、
ｃ．前記スリーブを吻合部位の血管外表面に適用するステップと、
ｄ．前記ステントを吻合部位の静脈開口部およびグラフト開口部に挿入するステップと
を含む、方法。
（項目４８）
前記治療剤はラパマイシンである、項目４７に記載の方法。
（項目４９）
前記治療剤はラパマイシンのアナログである、項目４７に記載の方法。
（項目５０）
前記治療剤はエベロリムスである、項目４７に記載の方法。
（項目５１）
前記治療剤はデキサメタゾンである、項目４７に記載の方法。
（項目５２）
前記治療剤はパクリタキセルである、項目４７に記載の方法。
（項目５３）
前記治療剤はタクロリムスである、項目４７に記載の方法。
（項目５４）
前記マトリックス材料はコラーゲンを含む、項目４７に記載の方法。
（項目５５）
前記コラーゲンはＩ型ウシコラーゲンである、項目５４に記載の方法。
（項目５６）
前記コラーゲンは、Ｉ型、ＩＩ型、ＩＩＩ型、ＩＶ型、ＸＩ型、およびそれらの混合物からなる群より選択される、項目５４に記載の方法。
（項目５７）
前記マトリックス材料はフィブリンを含む、項目４７に記載の方法。
（項目５８）
前記マトリックス材料は多糖を含む、項目４７に記載の方法。
（項目５９）
前記多糖はキトサンである、項目５８に記載の方法。
（項目６０）
前記マトリックス材料は、コラーゲン、フィブリン、キトサン、およびそれらの混合物からなる群より選択される、項目４７に記載の方法。
（項目６１）
前記ステントは薬物溶出性ステントである、項目４７に記載の方法。
（項目６２）
前記薬物は抗増殖薬である、項目６１に記載の方法。
（項目６３）
前記薬物はラパマイシンである、項目６１に記載の方法。
（項目６４）
前記薬物はラパマイシンのアナログである、項目６１に記載の方法。
（項目６５）
前記薬物はエベロリムスである、項目６１に記載の方法。
（項目６６）
前記薬物はデキサメタゾンである、項目６１に記載の方法。
（項目６７）
前記薬物はパクリタキセルである、項目６１に記載の方法。
（項目６８）
前記薬物はタクロリムスである、項目６１に記載の方法。
（項目６９）
前記提供されるステントは、収縮状態の前記ステントの外表面に付けられたワイヤをさらに含み、前記ステントを挿入するステップはさらに、
ａ．収縮状態の前記ステントを吻合部位の静脈およびグラフト開口部に挿入するステップと、
ｂ．前記外部ワイヤを操作することによって前記ステントの前記外表面を前記血管の内表面に向かって引っ張り、前記ステントを拡張させて内部の血管またはグラフト壁に隣接させるステップと
を含む、項目４７に記載の方法。
（項目７０）
前記ステントは薬物溶出性ステントである、項目６９に記載の方法。
（項目７１）
前記薬物は抗増殖薬である、項目７０に記載の方法。
（項目７２）
前記薬物はラパマイシンである、項目７０に記載の方法。
（項目７３）
前記薬物はラパマイシンのアナログである、項目７０に記載の方法。
（項目７４）
前記薬物はエベロリムスである、項目７０に記載の方法。
（項目７５）
前記薬物はデキサメタゾンである、項目７０に記載の方法。
（項目７６）
前記薬物はパクリタキセルである、項目７０に記載の方法。
（項目７７）
前記薬物はタクロリムスである、項目７０に記載の方法。
（項目７８）
吻合部位における狭窄を予防するための方法であって、
ａ．ステント送達系を提供するステップであって、前記ステント送達系は、
ｉ．収縮された構成のステントであって、前記ステントは、長手軸および周囲直径を有する管状の壁を有する本質的に管状の本体を規定するウェブ構造であり、前記ウェブ構造は収縮された構成から拡張された構成に拡張可能であり、前記ステントは吻合部位への配置のために前記長手軸に沿って湾曲されている、ステント、および
ｉｉ．前記ステントを収縮された状態に収縮するための前記ステントを囲むシース
を含む、ステップと、
ｂ．治療剤を吸収させた生体適合性マトリックス材料を含むスリーブを提供するステップと、
ｃ．前記スリーブを吻合部位の血管外表面に適用するステップと、
ｄ．前記ステント送達系を吻合部位に向けるステップと、
ｅ．前記シースを縮めるステップであって、前記シースを縮めることによって前記ステントが拡張して内部の血管またはグラフト壁に隣接する、ステップと
を含む、方法。
（項目７９）
前記ステントは薬物溶出性ステントである、項目７８に記載の方法。
（項目８０）
前記薬物は抗増殖薬である、項目７９に記載の方法。
（項目８１）
前記薬物はラパマイシンである、項目７９に記載の方法。
（項目８２）
前記薬物はラパマイシンのアナログである、項目７９に記載の方法。
（項目８３）
前記薬物はエベロリムスである、項目７９に記載の方法。
（項目８４）
前記薬物はデキサメタゾンである、項目７９に記載の方法。
（項目８５）
前記薬物はパクリタキセルである、項目７９に記載の方法。
（項目８６）
前記薬物はタクロリムスである、項目７９に記載の方法。
（項目８７）
吻合部位における狭窄を予防するためのキットであって、
ａ．ステントであって、前記ステントは、長手軸および周囲直径を有する管状の壁を有する本質的に管状の本体を規定するウェブ構造を含み、前記ウェブ構造は収縮された構成から拡張された構成に拡張可能であり、前記ステントは吻合部位への配置のために前記長手軸に沿って湾曲されている、ステント、および
ｂ．治療剤を吸収させた生体適合性マトリックス材料を含むスリーブ
を含む、キット。
（項目８８）
前記治療剤はラパマイシンである、項目８７に記載のキット。
（項目８９）
前記治療剤はラパマイシンのアナログである、項目８７に記載のキット。
（項目９０）
前記治療剤はエベロリムスである、項目８７に記載のキット。
（項目９１）
前記治療剤はデキサメタゾンである、項目８７に記載のキット。
（項目９２）
前記治療剤はパクリタキセルである、項目８７に記載のキット。
（項目９３）
前記治療剤はタクロリムスである、項目８７に記載のキット。
（項目９４）
前記マトリックス材料はコラーゲンを含む、項目８７に記載のキット。
（項目９５）
前記コラーゲンはＩ型ウシコラーゲンである、項目９４に記載のキット。
（項目９６）
前記コラーゲンは、Ｉ型、ＩＩ型、ＩＩＩ型、ＩＶ型、ＸＩ型、およびそれらの混合物からなる群より選択される、項目９４に記載のキット。
（項目９７）
前記マトリックス材料はフィブリンを含む、項目８７に記載のキット。
（項目９８）
前記マトリックス材料は多糖を含む、項目８７に記載のキット。
（項目９９）
前記多糖はキトサンである、項目９８に記載のキット。
（項目１００）
前記マトリックス材料は、コラーゲン、フィブリン、キトサン、およびそれらの混合物からなる群より選択される、項目８７に記載のキット。
（項目１０１）
前記ステントは薬物溶出性ステントである、項目７８に記載のキット。
（項目１０２）
前記薬物は抗増殖薬である、項目１０１に記載のキット。
（項目１０３）
前記薬物はラパマイシンである、項目１０１に記載のキット。
（項目１０４）
前記薬物はラパマイシンのアナログである、項目１０１に記載のキット。
（項目１０５）
前記薬物はエベロリムスである、項目１０１に記載のキット。
（項目１０６）
前記薬物はデキサメタゾンである、項目１０１に記載のキット。
（項目１０７）
前記薬物はパクリタキセルである、項目１０１に記載のキット。
（項目１０８）
前記薬物はタクロリムスである、項目１０１に記載のキット。
（項目１０９）
ＡＶフィステルの吻合における狭窄を予防するための方法であって、
ａ．長手軸および周囲直径を有する管状の壁を有する本質的に管状の本体を規定する構造を含むステントを提供するステップであって、前記構造は収縮された構成から拡張された構成に拡張可能であり、前記ステントは吻合への配置のために前記長手軸に沿って湾曲されている、ステップと、
ｂ．前記ステントを前記吻合の静脈およびグラフト開口部に挿入するステップであって、前記ステントの前記吻合への配置または前記吻合の周囲への配置が、前記流出静脈の狭小化を防ぐ、ステップと
を含む、方法。